【事件の表示】
　特願２０１５−　５９８３７「画像表示操作装置、画像形成装置、及び、表示方法」拒絶査定不服審判事件〔平成２７年　９月　３日出願公開、特開２０１５−１５８９２２、請求項の数（１１）〕について、次のとおり審決する。
【結　論】
　原査定を取り消す。
　本願の発明は、特許すべきものとする。
【理　由】
第１　手続の経緯
　本願は、平成２２年１０月２０日に出願した特願２０１０−２３５６７６号の一部を平成２７年３月２３日に新たな特許出願としたものであって、同年１２月１６日付けで拒絶理由が通知され、平成２８年２月５日に手続補正がされ、同年５月１２日付けで拒絶査定（原査定）がされ、これに対し、同年８月３１日に拒絶査定不服審判が請求されたものである。
第２　原査定の概要
　原査定（平成２８年５月１２日付け拒絶査定）の概要は次のとおりである。
２．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　記　　　（引用文献等については引用文献等一覧参照）
●理由２（進歩性）について
・請求項　１
・引用文献等　１
・備考
　引用文献１の図３には、画像を表示することが記載されているから、画像表示部を具備していると認められる。
　引用文献１の段落４９、図７，１０には、印刷設定表示領域にアイコン及び文字を表示することが記載されているから、機能選択表示部を具備していると認められる。
　引用文献１の段落３７、図３には、シングル表示とマルチ表示とが記載されているから、複数の表示モードを具備していると認められる。
　引用文献１の段落３７には、ＷＩＤＥ釦２０８やＴＥＬＥ釦２０７を操作することにより、表示モードを選択することが記載されている。そして、引用文献１の段落５１、図３には、シングル表示・印刷設定情報表示７００とマルチ表示・印刷設定情報表示１０００との間で表示モードが切り替わるとき、印刷設定表示領域の大きさを変更することが記載されている。そうすると、引用文献１記載のものは、表示制御部を具備していると認められる。
●理由２（特許法第２９条第２項）について
・請求項　１，１１
・引用文献等　１−２
　出願人は意見書において、先の拒絶理由通知書で引用した引用文献１記載のものにおいて、シングル表示とマルチ表示を表示モードと認定している（特に意見書３．（Ｂ２）を参照されたい。）。
　しかしながら、上記引用文献１には、表示モードとの文言は明記されておらず、段落４０には、ＤＩＳＰ釦は情報表示を切り替える釦であると記載されている。そして、上記引用文献１には、ＤＩＳＰ釦を押すことで、情報表示無し表示５００から画像情報表示６００に、さらに、該画像情報表示６００から印刷設定情報表示７００に、さらに、該印刷設定情報表示７００から該情報表示無し表示５００に切り替わると記載されている（特に段落５６−５８等を参照されたい。）。また、ＴＥＬＥ釦、ＷＩＤＥ釦を操作することによりシングル表示とマルチ表示を切り替えると記載されている（特に段落３７等を参照されたい。）。
　そうすると、上記引用文献１記載のものは、情報表示無し表示、並びに、画像情報表示、及び、印刷設定情報表示の３つの表示モードと、シングル表示とマルチ表示の２つの表示形態を有しており、印刷設定情報表示（複数の表示モードのいずれか一つの表示モード）が選択されている場合、ＴＥＬＥ釦又はＷＩＤＥ釦を押す操作に基づいて、印刷設定表示領域７０１，１２０１（機能選択表示領域）の表示形態を、印刷設定表示領域１２０１（アイコンのみを表示形態）と、印刷設定情報表示７０１（アイコン及びテキストを表示する表示形態）との間で切り替えているといえる。
　先の拒絶理由通知書で引用した引用文献２に開示されているように、ＬＣＤとタッチパネルからなる入力部を用いフリック操作を受け付けるものは周知技術であるから、上記引用文献１記載の釦と該釦を押す操作を、タッチパネルとフリック操作とすることは、当業者が容易になし得ることと認められる。
　よって、上記主張は採用できず、請求項１，１１に係る発明は、先の拒絶理由通知書で引用した引用文献１記載の発明及び引用文献２に記載された周知技術に基づいて、当業者であれば容易になし得たものであるから、依然として特許法第２９条第２項の規定により特許を受けることができない。
　　　　＜引用文献等一覧＞
１．特開２００９−７８３７２号公報
２．国際公開第２０１０／１１３５９７号（周知技術を示す文献）
第３　本願発明
　本願請求項１〜１１に係る発明（以下、それぞれ「本願発明１」〜「本願発明１１」という。）は、平成２８年２月５日付けの手続補正で補正された特許請求の範囲の請求項１〜１１に記載された事項により特定される発明であり、以下のとおりの発明である。
「【請求項１】
　画像を表示する画像表示領域と、機能設定用のアイコンと機能名称のテキストとを含む機能選択メニューを表示する機能選択表示領域と、を少なくとも含む表示部と、
　複数の表示モードのうちの一つの表示モードが選択されたとき、前記選択された表示モードに基づいて、前記機能選択表示領域の表示形態を、前記アイコン及び前記テキストを表示する表示形態と、前記アイコンのみを表示する表示形態との間で変更することにより、前記機能選択表示領域の大きさを変更する表示制御部と、
を具備し、
　前記複数の表示モードのいずれか一つの表示モードが選択されている場合、前記表示制御部は、フリックを含むジェスチャー操作に基づいて、前記機能選択表示領域の表示形態を、前記アイコンのみを表示する表示形態と、前記アイコン及び前記テキストを表示する表示形態との間で切り替えることを特徴とする画像表示操作装置。
　　【請求項２】
　前記機能選択表示領域の表示形態が、前記アイコンのみを表示する表示形態から、前記アイコン及び前記テキストを表示する表示形態に変更されたとき、前記機能選択表示領域は半透明で表示されることを特徴とする請求項１に記載の画像表示操作装置。
　　【請求項３】
　前記表示部は、操作についての提案を含む情報を表示する情報表示領域を更に含むことを特徴とする請求項１または２に記載の画像表示操作装置。
　　【請求項４】
　前記情報表示領域は、前記情報表示領域を縮小表示させるときに、前記情報表示領域の大きさを減少させるために操作される縮小ボタンを表示することを特徴とする請求項３に記載の画像表示操作装置。
　　【請求項５】
　前記縮小ボタンが押されたときに、前記情報表示領域の大きさは、縮小表示されて、ボタンが表示されることを特徴とする請求項４に記載の画像表示操作装置。
　　【請求項６】
　前記情報表示領域に対する操作がされることなく所定時間が経過した場合、前記情報表示領域は、折りたたまれて、代わりに、ボタンが表示されることを特徴とする請求項３から５のいずれか一項に記載の画像表示操作装置。
　　【請求項７】
　前記表示部は、前記画像に対する処理を開始させる項目を表示する処理開始項目表示領域を更に含むことを特徴とする請求項１から６のいずれか一項に記載の画像表示操作装置。
　　【請求項８】
　前記処理開始項目表示領域は、その領域の大きさを減少させた状態で表示されることを特徴とする請求項７に記載の画像表示操作装置。
　　【請求項９】
　その領域の大きさを減少させた状態で表示された処理開始項目表示領域は、フリックを含むジェスチャー操作に基づいて、通常の大きさとして拡大されることを特徴とする請求項８に記載の画像表示操作装置。
　　【請求項１０】
　請求項１から９のいずれか一項に記載の画像表示操作装置と、
　前記画像を記録媒体上に形成する画像形成部と、
を具備することを特徴とする画像形成装置。
　　【請求項１１】
　画像を表示する画像表示領域と、機能設定用のアイコンと機能名称のテキストとを含む機能選択メニューを表示する機能選択表示領域と、を少なくとも含む表示部を用いた表示方法であって、
　表示部の画像表示領域に画像を表示するステップと、
　前記表示部の機能選択表示領域に、機能設定用のアイコンと機能名称のテキストとを含む機能選択メニューを表示するステップと、
　複数の表示モードのうちの一つの表示モードが選択されたとき、前記選択された表示モードに基づいて、前記機能選択表示領域の表示形態を、前記アイコン及び前記テキストを表示する表示形態と、前記アイコンのみを表示する表示形態との間で変更することにより、前記機能選択表示領域の大きさを変更するステップと、
　前記複数の表示モードのいずれか一つの表示モードが選択されている場合、フリックを含むジェスチャー操作に基づいて、前記機能選択表示領域の表示形態を、前記アイコンのみを表示する表示形態と、前記アイコン及び前記テキストを表示する表示形態との間で切り替えるステップと、
を具備することを特徴とする表示方法。」
第４　引用文献、引用発明等
１．引用文献について
　原査定の拒絶の理由に引用された、特開２００９−７８３７２号公報（以下、「引用文献」という。）には、図面とともに以下の事項が記載されている。
ａ）「【０００１】
  本発明は、
画像を表示するための表示手段を備えるプリンタ
ｂ）「【０００９】
  図１は、本発明に係る実施形態のプリンタの構成を示すブロック図である。本実施例のプリンタ１は、プリンタに装着されたメモリカード２、または、プリンタと接続されたホストコンピュータまたはデジタルカメラ３等から印刷対象の画像を取得して印刷することが可能である。
【００１０】
  ２はプリンタ１に装着されるメモリカードで、画像データが記録されている。メモリカード等の記録媒体をプリンタのカードスロットに装着して、メモリカードに記録されている画像データを印刷することができる。
【００１１】
  
１１は、プリンタ１全体を制御し、各種データ演算や処理を行うＣＰＵ
【００１２】
  
１４はユーザインターフェースモジュールで、電源ボタンや画像送りボタンなどの操作キー等から構成され
ユーザにより操作キーを介して指示が入力されたことに応じて、その指示を受け付けて、ＣＰＵに伝え
【００１３】
  １５は、デジタルカメラやＰＣ等と有線若しくは無線の通信インターフェースを介して接続し、データの送受信を行うためのＩ／Ｏポート部である。
【００１４】
  １６は、画像データを印刷するプリンタモジュールで、プリントヘッドや給排紙モータ、ヘッド、モータを制御するためのＩＣ等を備えている。
【００１５】
  
１７は表示モジュールで、ＬＣＤ、ＬＣＤドライバ、等から構成され
表示モジュール１７
ユーザが不図示の操作キー等を操作したことに応じて、ＬＣＤの表示画面を変更したりする表示制御を行う
【００１６】
  １８は、メモリカード２にアクセスしてデータを取得するためのメモリカードインターフェースである。
【００１７】
  １９は、プリンタ１に電源を供給する電源モジュールである。
【００１８】
  本実施形態の
プリンタは、ユーザインターフェースのとして、
複数の操作部材および、ＬＣＤ表示部を有し
ｃ）「【００３４】
  そこで、本実施形態のプリンタは、印刷対象の画像を選択している間に、画像と共に現在プリンタで設定されている印刷設定をＬＣＤに表示することが可能である。
【００３５】
  メモリカードに記録されている
画像をＬＣＤ表示部２０６に表示する際の表示形態
【００３６】
  図５はシングル表示・情報表示無しの表示形態の一例である。図６はシングル表示・画像情報表示の表示形態の一例である。図７はシングル表示・印刷設定情報表示の表示形態の一例である。図８はマルチ表示・情報表示無しの表示形態の一例である。図９はマルチ表示・画像情報表示の表示形態の一例である。図１０はマルチ表示・印刷設定情報表示の表示形態の一例である。なお、図５〜図１０に表示されるもののうち、同じものについては同じ符号を付２０２して説明する。
【００３７】
  
シングル表示
ＬＣＤ表示部２０６に１つの画像を表示させる表示形態で
マルチ表示
複数枚の画像を同時に表示させる表示形態
シングル表示とマルチ表示は、ＴＥＬＥ釦、ＷＩＤＥ釦を操作することにより切り替えることができ
【００３８】
  
また、プリンタ１は画像と共に、
画像の属性に関する情報（画像情報）の表示、印刷条件設定に関する情報（印刷設定情報）の表示が可能であり、また、情報表示を行わないことも可能で
【００３９】
  画像情報の表示においては、現在ＬＣＤ表示部２０６に表示されている画像、マルチ表示の場合は表示されている画像のうち選択されている画像の属性情報が表示される。印刷設定情報の表示においては、印刷設定画面でユーザにより設定された印刷設定を表示することが可能である。
【００４０】
  これらの、
情報表示（情報表示無し、画像情報表示、印刷設定情報表示）は、ＤＩＳＰ釦２０３を操作することにより切り替えることができる
【００４１】
  それぞれの
情報表示画面
【００４２】
  図５のシングル表示・情報表示なしの表示画面では、操作ガイダンスのためのアイコン（５０１、５０２）と印刷枚数に関する情報が表示される。
【００４３】
  ５０１、５０２は操作ガイダンスアイコンで、５０１は、ＥＤＩＴ釦を押すことによりトリミング設定に移ることが可能であることを示している。また、５０２はＰＲＩＮＴ釦を押すことにより、印刷が実行されることを示している。５０３には現在表示されている画像（マルチ表示の場合は選択されている画像）の印刷枚数が表示される。この印刷枚数は、上下釦（２１２，２１４）を操作することにより変更できる。５０４は、印刷設定された画像の枚数を示す印刷総画像枚数が表示される。これは、印刷レイアウトに関係せず、画像に対して設定された印刷枚数の合計が表示される。
【００４４】
  これらの５０１〜５０４はシングル表示画面においては常に表示されている。
【００４５】
  図８のマルチ表示・情報表示無しの表示画面においても、５０１〜５０４は表示される。しかし、印刷枚数の表示については、表示される複数の画像それぞれに対して印刷枚数が８０２のように表示される（印刷枚数が設定されていない、または、印刷枚数が０の画像に対しては、図８のように印刷枚数を表示させなくても良い）。表示される複数の画像のうち、現在選択されている画像については図５の５０３と同様の印刷枚数表示を行い、上下釦による印刷枚数の変更は、この画像の印刷枚数に対して行われる。また、８０１はトリミング設定がされているものを示すトリミングアイコンであり、トリミング設定がされている画像に重ねて表示される。これらの５０１〜５０４、８０１、８０２は、情報表示に関係なく、マルチ表示においても常に表示される（８０２はトリミング設定が有る場合のみ表示される）。
【００４６】
  図６、図９は
画像情報表示の表示画面
シングル表示・マルチ表示に関係なく同じ情報が表示され
６０１は画像情報表示領域で、この領域内に６０２〜６０７の各種情報が表示される。
６０２は、メモリカードの種類を示すアイコンで、現在プリンタ１に装着されているメモリカードに対応したアイコンが表示される。６０３は現在プリンタ１に装着されているメモリカードに記録されている画像の総数と、現在表示（選択）されている画像の位置が、＜現在の画像位置／総画像枚数＞の形式で表示される。６０４は、表示（または、選択）されている画像の画像番号である。６０５は、表示（または、選択）されている画像の撮影日時情報である。６０６は、表示（または、選択）されている画像の画像サイズである。表示（または、選択）されている画像が静止画である場合は画像サイズ、動画の場合は撮影時間が表示される。６０７は用紙サイズを示すアイコンで、プリンタに装着されている用紙またはインクシートのサイズを検出し、印刷サイズに対応したアイコンが表示される。
【００４７】
  図７、図１０は印刷設定表示の表示画面である。
  
印刷設定表示では、印刷設定画面でユーザが設定した印刷条件を表示する
印刷条件設定合致したアイコンを表示させ
７０１は印刷設定表示領域で、印刷条件のアイコンはこの表示領域内に表示される。
プリンタ１では、印刷条件として、日付印刷のＯＮ／ＯＦＦ、画像番号印刷のＯＮ／ＯＦＦ、フチありフチなし印刷の設定、印刷レイアウトの設定、赤目補正のＯＮ／ＯＦＦ、色補正の設定が可能である。図７、１０は、日付印刷ＯＦＦ、画像番号印刷ＯＦＦ、フチ有り印刷、一面配置レイアウト（１ｕｐ）、赤目補正ＯＮ、くっきりカラーの色補正が印刷条件として設定されている場合の表示である。
７０２は、日付印刷ＯＦＦの印刷条件アイコンである。
７０３は、画像番号印刷ＯＦＦの印刷条件アイコンである。
７０４は、フチありの印刷条件アイコンである。
７０５は、一面配置の印刷条件アイコンである。
７０６は、赤目補正ＯＮの印刷条件アイコンである。
７０７は、くっきりカラー色補正の印刷条件アイコンである。
設定されている印刷条件に対応したこれら７０２〜７０７のアイコンが印刷設定表示領域７０１に表示される。
【００４８】
  これらの
印刷条件アイコンはシングル表示
からマルチ表示
に切替えても同様に表示され
【００４９】
  
アイコンのみでは印刷条件が分かりにくいため、シングル表示画面では、印刷条件アイコンとともに、アイコンが示す印刷条件を文字で表示し
【００５０】
  画像と共に印刷条件の表示を行うことにより、印刷設定画面を表示させなくでも、印刷対象の画像の選択中に、画像の選択を行いながら現在プリンタに設定されている印刷条件を確認することができる。
【００５１】
  しかし、シングル表示の場合は、印刷条件のアイコンと文字を画像に重ねて表示したとしても、表示されている画像を確認することが可能である。
しかし、マルチ表示の場合は、印刷条件のアイコンと文字を画像に重ねて表示してしまうと、複数の画像のうち幾つかの画像は、完全に印刷設定表示領域に覆われてしまい、画像の確認ができなくなってしまう
ため、
印刷設定の文字を表示せずに印刷設定のアイコンのみを表示させ
ｄ）「【００５５】
  図３は、プリンタ１の画像表示画面の遷移を示す図である。
【００５６】
  
プリンタ１起動後は
シングル表示・情報表示無し表示５００で表示され
ＤＩＳＰ釦２０３が押されると、
シングル表示・画像情報表示６００の表示形態に
シングル表示・情報表示無し表示５００の表示形態の間に、ＤＩＳＰではなくＷＩＤＥ釦２０８が操作されたら、マルチ表示・情報表示無し表示８００に切り替わる
【００５７】
  
シングル表示・画像情報表示６００の状態で、ＤＩＳＰ釦２０３が押されると、
シングル表示・印刷設定情報表示７００に切り替わる
シングル表示・画像情報表示６００の表示形態の間に、ＤＩＳＰ釦２０３ではなくＷＩＤＥ釦２０８が操作されたら、マルチ表示・画像情報表示９００に切り替わる
【００５８】
  
シングル表示・印刷設定情報表示７００の状態で、ＤＩＳＰ釦２０３が押されると、シングル表示・情報表示無し表示５００に切り替わる
シングル表示・印刷設定情報表示７００の表示形態の間に、ＤＩＳＰ釦２０３ではなくＷＩＤＥ釦２０８が操作されたら、マルチ表示・印刷設定情報表示１０００に切り替わる
シングル表示・印刷設定情報表示７００からマルチ表示・印刷設定情報表示１０００に切り替わることにより、印刷条件の文字表示は消去される
【００５９】
  マルチ表示・情報表示無し表示８００の状態で、ＤＩＳＰ釦２０３が押されると、マルチ表示・画像情報表示９００に切り替わる。マルチ表示・情報表示無し表示８００の表示形態の間に、ＤＩＳＰ釦２０３ではなくＴＥＬＥ釦２０７が操作されたら、シングル表示・情報表示無し表示５００に切り替わる。
【００６０】
  マルチ表示・画像情報表示９００の状態で、ＤＩＳＰ釦２０３が押されると、マルチ表示・印刷設定情報表示１０００に切り替わる。マルチ表示・画像情報表示９００の表示形態の間に、ＤＩＳＰ釦２０３ではなくＴＥＬＥ釦２０７が操作されたら、シングル表示・画像情報表示６００に切り替わる。
【００６１】
  マルチ表示・印刷設定情報表示１０００の状態で、ＤＩＳＰ釦２０３が押されると、マルチ表示・情報表示無し表示８００に切り替わる。
マルチ表示・印刷設定情報表示１０００の表示形態の間に、ＤＩＳＰ釦２０３ではなくＴＥＬＥ釦２０７が操作されたら、シングル表示・印刷設定情報表示７００に切り替わる
マルチ表示・印刷設定情報表示１０００からシングル表示・印刷設定情報表示７００に切り替わることにより、印刷条件の文字表示が追加表示される
【００６２】
  このように
画像表示中に、各操作釦への操作を検出する。操作された釦と現在の表示形態に応じて、表示形態を切替える
　上記下線部及び関連箇所の記載によれば、引用文献には、画像を表示するための表示手段を備えるプリンタとして、以下の発明（以下、「引用発明」という。）が記載されている。
　「画像を表示するための表示手段を備えるプリンタであり、
　プリンタ１全体を制御し、各種データ演算や処理を行うＣＰＵ１１、
　電源ボタンや画像送りボタンなどの操作キー等から構成され、ユーザにより操作キーを介して指示が入力されたことに応じて、その指示を受け付けて、ＣＰＵに伝えるユーザインターフェースモジュール１４、
　ＬＣＤ、ＬＣＤドライバ、等から構成され、ユーザが不図示の操作キー等を操作したことに応じて、ＬＣＤの表示画面を変更したりする表示制御を行う表示モジュール１７を備え、
　プリンタは、ユーザインターフェースのとして複数の操作部材および、ＬＣＤ表示部を有し、
　画像をＬＣＤ表示部２０６に表示する際の表示形態として、
　ＬＣＤ表示部２０６に１つの画像を表示させる表示形態であるシングル表示、複数枚の画像を同時に表示させる表示形態であるマルチ表示を有し、
　シングル表示とマルチ表示は、ＴＥＬＥ釦、ＷＩＤＥ釦を操作することにより切り替えることができ、
　また、プリンタ１は画像と共に、画像の属性に関する情報（画像情報）の表示、印刷条件設定に関する情報（印刷設定情報）の表示が可能であり、また、情報表示を行わないことも可能であり、
　情報表示（情報表示無し、画像情報表示、印刷設定情報表示）は、ＤＩＳＰ釦２０３を操作することにより切り替えることができるものであり、
　画像情報表示の表示画面では、シングル表示・マルチ表示に関係なく同じ情報が表示され、
　印刷設定表示では、印刷設定画面でユーザが設定した印刷条件を表示するものであり、印刷条件設定合致したアイコンを表示させ、印刷条件アイコンはシングル表示からマルチ表示に切替えても同様に表示され、アイコンのみでは印刷条件が分かりにくいため、シングル表示画面では、印刷条件アイコンとともに、アイコンが示す印刷条件を文字で表示し、マルチ表示の場合は、印刷条件のアイコンと文字を画像に重ねて表示してしまうと、複数の画像のうち幾つかの画像は、完全に印刷設定表示領域に覆われてしまい、画像の確認ができなくなってしまうため、印刷設定の文字を表示せずに印刷設定のアイコンのみを表示させるものであり、
　プリンタ１起動後は、シングル表示・情報表示無し表示５００で表示され、ＤＩＳＰ釦２０３が押されると、シングル表示・画像情報表示６００の表示形態になり、シングル表示・情報表示無し表示５００の表示形態の間に、ＤＩＳＰではなくＷＩＤＥ釦２０８が操作されたら、マルチ表示・情報表示無し表示８００に切り替わり、
　シングル表示・画像情報表示６００の状態で、ＤＩＳＰ釦２０３が押されると、シングル表示・印刷設定情報表示７００に切り替わり、シングル表示・画像情報表示６００の表示形態の間に、ＤＩＳＰ釦２０３ではなくＷＩＤＥ釦２０８が操作されたら、マルチ表示・画像情報表示９００に切り替わり、
　シングル表示・印刷設定情報表示７００の状態で、ＤＩＳＰ釦２０３が押されると、シングル表示・情報表示無し表示５００に切り替わり、シングル表示・印刷設定情報表示７００の表示形態の間に、ＤＩＳＰ釦２０３ではなくＷＩＤＥ釦２０８が操作されたら、マルチ表示・印刷設定情報表示１０００に切り替わり、シングル表示・印刷設定情報表示７００からマルチ表示・印刷設定情報表示１０００に切り替わることにより、印刷条件の文字表示は消去され、
　マルチ表示・印刷設定情報表示１０００の表示形態の間に、ＤＩＳＰ釦２０３ではなくＴＥＬＥ釦２０７が操作されたら、シングル表示・印刷設定情報表示７００に切り替わり、マルチ表示・印刷設定情報表示１０００からシングル表示・印刷設定情報表示７００に切り替わることにより、印刷条件の文字表示が追加表示される。
　プリンタ。」
第５　当審の判断
１．本願発明１について
（１）対比
　本願発明１と引用発明とを対比する。 
ア．引用発明の「ＬＣＤ表示部２０６」は、「画像をＬＣＤ表示部２０６に表示する際の表示形態として、ＬＣＤ表示部２０６に１つの画像を表示させる表示形態であるシングル表示、複数枚の画像を同時に表示させる表示形態であるマルチ表示を有」しているから、本願発明１の「画像を表示する画像表示領域」に相当する構成を有することは明らかである。
　また、引用発明の「ＬＣＤ表示部２０６」は、「画像と共に、画像の属性に関する情報（画像情報）の表示、印刷条件設定に関する情報（印刷設定情報）の表示が可能であり」、「印刷設定表示では、印刷設定画面でユーザが設定した印刷条件を表示するものであり、印刷条件設定合致したアイコンを表示させ、」「印刷条件アイコンとともに、アイコンが示す印刷条件を文字で表示」する「印刷設定表示領域」を有するものであるから、引用発明の「ＬＣＤ表示部２０６」の「印刷設定表示領域」は、本願発明１の「機能設定用のアイコンと機能名称のテキストとを含む機能選択メニューを表示する機能選択表示領域」に相当する。
　したがって、引用発明の「ＬＣＤ表示部２０６」は、本願発明１の「画像を表示する画像表示領域と、機能設定用のアイコンと機能名称のテキストとを含む機能選択メニューを表示する機能選択表示領域と、を少なくとも含む表示部」に相当する。
イ．引用発明は、「シングル表示・印刷設定情報表示７００」の「表示形態」では、「印刷条件アイコンとともに、アイコンが示す印刷条件を文字で表示し」、「マルチ表示・印刷設定情報表示１０００の表示形態」では、「印刷条件のアイコンと文字を画像に重ねて表示してしまうと、複数の画像のうち幾つかの画像は、完全に印刷設定表示領域に覆われてしまい、画像の確認ができなくなってしまうため、印刷設定の文字を表示せずに印刷設定のアイコンのみを表示させる」ものである。
　したがって、引用発明は「表示形態」に基づいて「印刷設定情報表示」を「アイコンと文字を表示する」形態と、「アイコンのみを表示する」形態との間で変更するといい得るものであり、引用発明の「表示形態」は本願発明１の「表示モード」に相当する。
　また、引用発明において、「印刷設定情報表示」を「アイコンと文字を表示する」形態と「アイコンのみを表示する」形態との間で変更することは、「印刷設定表示領域」の大きさを変更するといい得ることである。
　したがって、引用発明が「表示形態」に基づいて「印刷設定情報表示」を「アイコンと文字を表示する」形態と、「アイコンのみを表示する」形態との間で変更することは、本願発明１の「複数の表示モードのうちの一つの表示モードが選択されたとき、前記選択された表示モードに基づいて、前記機能選択表示領域の表示形態を、前記アイコン及び前記テキストを表示する表示形態と、前記アイコンのみを表示する表示形態との間で変更することにより、前記機能選択表示領域の大きさを変更する」ことに相当する。
　そして、引用発明において、「ＬＣＤの表示画面を変更したりする表示制御」は「表示モジュール１７」が行っているから、引用発明の「表示モジュール１７」は、本願発明１の「複数の表示モードのうちの一つの表示モードが選択されたとき、前記選択された表示モードに基づいて、前記機能選択表示領域の表示形態を、前記アイコン及び前記テキストを表示する表示形態と、前記アイコンのみを表示する表示形態との間で変更することにより、前記機能選択表示領域の大きさを変更する表示制御部」に相当する。
ウ．引用発明の「プリンタ」は、「画像を表示するための表示手段を備える」ものであるから、本願発明１の「画像表示操作装置」に相当する。
　したがって、両者は以下の一致点と相違点とを有する。 
　
〈一致点〉
「画像を表示する画像表示領域と、機能設定用のアイコンと機能名称のテキストとを含む機能選択メニューを表示する機能選択表示領域と、を少なくとも含む表示部と、
　複数の表示モードのうちの一つの表示モードが選択されたとき、前記選択された表示モードに基づいて、前記機能選択表示領域の表示形態を、前記アイコン及び前記テキストを表示する表示形態と、前記アイコンのみを表示する表示形態との間で変更することにより、前記機能選択表示領域の大きさを変更する表示制御部と、
を具備する画像表示操作装置。」
〈相違点〉
　本願発明１は、「前記複数の表示モードのいずれか一つの表示モードが選択されている場合、前記表示制御部は、フリックを含むジェスチャー操作に基づいて、前記機能選択表示領域の表示形態を、前記アイコンのみを表示する表示形態と、前記アイコン及び前記テキストを表示する表示形態との間で切り替える」ものであるのに対し、引用発明は、そのような構成を有するものではない点。
（２）相違点についての判断
　上記相違点について検討する。
　引用発明は、「シングル表示・印刷設定情報表示７００の表示形態の間に、」「ＷＩＤＥ釦２０８が操作されたら、マルチ表示・印刷設定情報表示１０００に切り替わり、シングル表示・印刷設定情報表示７００からマルチ表示・印刷設定情報表示１０００に切り替わることにより、印刷条件の文字表示は消去され」、「マルチ表示・印刷設定情報表示１０００の表示形態の間に、」「ＴＥＬＥ釦２０７が操作されたら、シングル表示・印刷設定情報表示７００に切り替わり、マルチ表示・印刷設定情報表示１０００からシングル表示・印刷設定情報表示７００に切り替わることにより、印刷条件の文字表示が追加表示される」ものであるから、ユーザによるＷＩＤＥ釦２０８又はＴＥＬＥ釦２０７の操作により、印刷条件の文字表示の消去又は追加表示が行われる構成、すなわち、ユーザによる釦操作に基づいて、アイコンのみを表示する表示形態と、アイコン及びテキストを表示する表示形態との間で切り替える構成を有するものといえる。
　しかしながら、引用発明の上記ユーザによる釦操作は、「シングル表示・印刷設定情報表示７００」と「マルチ表示・印刷設定情報表示１０００」とを切り替えるものであるから、本願発明１の「表示モード」に相当する引用発明の「表示形態」を切り替える操作であり、本願発明１の「複数の表示モードのいずれか一つの表示モードが選択されている場合」に「表示形態」を切り替える操作に相当するものとはいえない。
　したがって、原査定で引用された国際公開第２０１０／１１３５９７号の明細書第１頁第４−５行に「この発明は、例えば、ＬＣＤ（Liquid Crystal Display）等の表示デバイスと、当該表示素子の表示画面に設けられるタッチパネルなどの入力検知デバイス」、第２頁第９−１１行に「ところで、表示素子とタッチパネルとからなる入力部の場合、単にタッチ操作（タップ操作）を受け付けることができるだけでなく、ドラッグ操作やフリック操作などのタッチパネルの操作面上をなぞる操作をも受け付けることができる。」と記載されるように、ＬＣＤとタッチパネルからなる入力部を用いフリック操作を受け付けることは周知技術であり、ユーザによる釦操作による入力に代え、ＬＣＤとタッチパネルからなる入力部を用いユーザによるフリック操作による入力とすること自体は、当業者が容易になし得ることと認められるものの、引用発明に上記周知技術を適用したものは、「前記複数の表示モードのいずれか一つの表示モードが選択されている場合、前記表示制御部は、フリックを含むジェスチャー操作に基づいて、前記機能選択表示領域の表示形態を、前記アイコンのみを表示する表示形態と、前記アイコン及び前記テキストを表示する表示形態との間で切り替える」ものとはならない。
　なお、原査定では、「引用文献１記載のものは、情報表示無し表示、並びに、画像情報表示、及び、印刷設定情報表示の３つの表示モードと、シングル表示とマルチ表示の２つの表示形態を有しており、印刷設定情報表示（複数の表示モードのいずれか一つの表示モード）が選択されている場合、ＴＥＬＥ釦又はＷＩＤＥ釦を押す操作に基づいて、印刷設定表示領域７０１，１２０１（機能選択表示領域）の表示形態を、印刷設定表示領域１２０１（アイコンのみを表示形態）と、印刷設定情報表示７０１（アイコン及びテキストを表示する表示形態）との間で切り替えているといえる」としている。しかしながら、本願発明１は、「選択された表示モードに基づいて、前記機能選択表示領域の表示形態を、前記アイコン及び前記テキストを表示する表示形態と、前記アイコンのみを表示する表示形態との間で変更する」ものであるから、「表示モード」は、「表示モード」に基づいて「アイコン及びテキストを表示する表示形態」と「アイコンのみを表示する表示形態」との間で表示形態が変更されるものでなければならず、引用文献１に記載された「情報表示無し表示、並びに、画像情報表示、及び、印刷設定情報表示」が本願発明１の「表示モード」に相当する、とすることはできない。
　したがって、本願発明１は、当業者であっても、引用発明及び上記周知技術に基づいて容易に発明できたものであるとはいえない。
２．請求項２−１０について
　請求項２−１０は請求項１を直接あるいは間接的に引用する請求項であり、本願発明２−１０も、本願発明１の「前記複数の表示モードのいずれか一つの表示モードが選択されている場合、前記表示制御部は、フリックを含むジェスチャー操作に基づいて、前記機能選択表示領域の表示形態を、前記アイコンのみを表示する表示形態と、前記アイコン及び前記テキストを表示する表示形態との間で切り替える」構成と同一の構成を備えるものである。
　したがって、本願発明１と同様の理由により、引用発明及び上記周知技術に基づいて容易に発明できたものとは認められない。
３．請求項１１について
　本願発明１１は、本願発明１を表示方法として記載したものであるから、上記「１．請求項１について」にて述べたのと同様の理由により、引用発明及び上記周知技術に基づいて容易に発明できたものとは認められない。
第６　むすび
　以上のとおり、本願発明１−１１は、当業者が引用発明に基づいて容易に発明することができたものではない。したがって、原査定の理由によっては、本願を拒絶することはできない。
　また、他に本願を拒絶すべき理由を発見しない。
　よって、結論のとおり審決する。